(57)【特許請求の範囲】
【請求項１】
電力増幅器と１組のアップコンバータミキサを有するトランシーバ内の、改善された電力傾斜化方法であって、
パケット送信の際にはオンにされるが、それ以外の期間はオフにされる電力増幅器を、前のパケット受信期間の終了後、且つ、新たなパケットの送信前に、オンし、
新たなパケット送信の開始に際し、アップコンバータミキサに供給される変調信号を傾斜化する方法であって、
前記変調信号は、同相及び直交位相信号であり、且つ、
前記変調信号は、前記同相及び直交位相信号を表すディジタルワードの組みを単調にスケーリングすることにより傾斜化される、
ことを特徴とする方法。
【請求項２】
電力増幅器と１組のアップコンバータミキサを有するトランシーバ内の、改善された電力傾斜化方法であって、
パケット送信の際にはオンにされるが、それ以外の期間はオフにされる電力増幅器を、前のパケット受信期間の終了後、且つ、新たなパケットの送信前に、オンし、
新たなパケット送信の開始に際し、アップコンバータミキサに供給される変調信号を傾斜化する方法であって、
前記変調信号は、同相及び直交位相信号であり、且つ、
前記変調信号は、アナログ傾斜化信号を、前記同相及び直交位相信号に与えることにより傾斜化される、
ことを特徴とする方法。
【請求項３】
前のパケット受信期間の終了に続く所定の時間の間、新たなパケット送信の開始を遅延するステップを更に有する請求項１又は請求項２に記載の方法。
【請求項４】
トランシーバであって、
受信機と、
電力増幅器と１組のアップコンバータミキサを有する送信機と、
電圧制御発振器（ＶＣＯ）を有する周波数シンセサイザと、
電力増幅器とＶＣＯを分離するコントローラとを有し、
コントローラは、
パケット送信の際にはオンにされるが、それ以外の期間はオフにされる電力増幅器を、前のパケット受信期間の終了後、且つ、新たなパケットの送信前に、オンするための手段と、
新たなパケット送信の開始に際し、アップコンバータミキサへ供給される変調信号を傾斜化する傾斜化手段とを有するとともに、
前記変調信号は、同相及び直交位相変調信号であり、
前記傾斜化手段は、前記同相及び直交位相変調信号を表すディジタルワードの組みを単調にスケーリングする、
ことを特徴とするトランシーバ。
【請求項５】
トランシーバであって、
受信機と、
電力増幅器と１組のアップコンバータミキサを有する送信機と、
電圧制御発振器（ＶＣＯ）を有する周波数シンセサイザと、
電力増幅器とＶＣＯを分離するコントローラとを有し、
コントローラは、
パケット送信の際にはオンにされるが、それ以外の期間はオフにされる電力増幅器を、前のパケット受信期間の終了後、且つ、新たなパケットの送信前に、オンするための手段と、
新たなパケット送信の開始に際し、アップコンバータミキサへ供給される変調信号を傾斜化する傾斜化手段とを有するとともに、
前記変調信号は、同相及び直交位相変調信号であり、
前記傾斜化手段は、
アナログ傾斜化信号を発生する手段と、
前記アナログ傾斜化信号を、前記同相及び直交位相変調信号に与える手段とを有する、
ことを特徴とするトランシーバ。
【請求項６】
ＩＥＥＥ８０２．１１標準に準拠する請求項４又は請求項５に記載のトランシーバ。
【発明の詳細な説明】
【０００１】
発明の背景
技術分野
本発明は、一般的には通信電子の分野に関し特に、ディジタルトランシーバ内の電力増幅器の傾斜化中に周波数グリッチを減少する方法に関する。
【０００２】
関連技術の説明
スペクトラム拡散は、軍用及び商用アプリケーションの両方に対して、広く使用されている通信技術である。スペクトラム拡散通信システムでは、送信される変調信号は、チャネルを介して送信される前に帯域幅が拡散され（即ち、増加され）そして、受信機で同じ量だけ帯域幅が逆拡散（即ち減少される）。
【０００３】
スペクトラム拡散の目標のアプリケーションの１つは、別々の電子装置の間で無線通信を容易にすることである。例えば、無線ローカルエリアネットワーク（ＷＬＡＮ）は、空中を介してデータを送信し且つ受信し、それにより、有線接続の必要を減少し又は最小化する、無線技術を使用する柔軟なデータ通信システムである。典型的なＷＬＡＮでは、アクセスポイントは、固定の位置から有線ネットワークに接続するトランシーバにより提供される。エンドユーザは、典型的には、ラップトップコンピュータ内ではＰＣカードとして又は、デクストップコンピュータに対してはＩＳＡ又はＰＣＩカードとして使用されるトランシーバを通してＷＬＡＮに接続する。トランシーバは、ハンドヘルドコンピュータ、パーソナルディジタルアシスタント等のようなどのような装置と統合されてもよい。
【０００４】
今日市場で入手できるＷＬＡＮ製品の大多数は、９００ＭＨｚと２．４ＧＨｚ  ＩＳＭ周波数帯で動作する垂直アプリケーションを目標とする専用のスペクトラム拡散ソリューションである。これらの製品は、上述のように、ＰＣＭＣＩＡ、ＩＳＡ及び、従来のＰＣボードプラットフォーム内の無線アダプタとアクセスポイントを有する。典型的なスペクトラム拡散トランシーバは、送信される信号の所望の変調及び、トランシーバで受信される信号の所望の復調を提供するベースバンドプロセッサに接続された、従来のＩＦ無線回路を有する。ＩＦ無線回路は電圧制御発振器（ＶＣＯ）と位相ロックループ（ＰＬＬ）を含む周波数シンセサイザを有する。ベースバンドプロセッサは、ダイレクトシーケンス（ＤＳ）変調、周波数ホッピング（ＦＨ）変調、時間ホッピング（ＴＨ）変調又は、１つ又はそれ以上の機構を組合せたハイブリッド変調のような、所定のスペクトラム拡散変調技術を実行する。
【０００５】
上述のスペクトラム拡散トランシーバは、典型的には、時分割ニ重通信（ＴＤＤ）モードの動作で動作し、送信機は、パケット送信中にスイッチオンされ、そして、パケット受信中にスイッチオフされる。送信機は、電力増幅器及び、１組のアップコンバータミキサを有する幾つかの部品を有する。典型的には、送信機電力増幅器は、データパケットを送っているときにのみ（又は、おそらくその直前に）オンにされる。電力増幅器は、スペクトルスプラッタ即ち、ＲＦ信号の隣接信号へのもれを減少するために、（ハードスイッチングに対して）”傾斜化されて”オンされる。電力傾斜化は、電力増幅器のゲインを調整（即ち、増加）することにより達成される。
【０００６】
逆に、周波数シンセサイザは、ＴＤＤ信号の送信と受信の両方ので、オンのままでいなければならない。しかしながら、電力増幅器が傾斜化されるときには、増幅器の入力インピーダンスの変化により周波数シンセサイザ内で、望ましくない周波数変化が生じる。位相ロックループは、これらの周波数変化を瞬時に補正することはできない。更に、周波数エラーが大きくなると、遠くの端の受信機は送信された信号に適切に同期することができない。
【０００７】
従来技術では、この問題は、送信機電力増幅器をシンセサイザＶＣＯから分離することにより取り組まれると考えられていた。図３は、ＶＣＯ３２２と電力増幅器３１４の間に組み込まれた、更なる分離、即ちバッファ３２６と３１２を示す。バッファ３２６と３１２は、通常は、
【０００８】
【外１】
0004815555.tif 000002
で定義される高分離を得るための多段階部であり、Ｓ１２は前向きゲイン（点ＡからＢ）でありそして、Ｓ２１は後向きゲインである。図１は、分離処理を示し、受信期間Ｒｘの最後で（電力増幅器以外の）送信機部品をオンしそして、後の時点で、通常は実際の信号ペイロードに先立つプリアンブルの送信に際し、電力増幅器を傾斜化することに関する。図１に示されているように、しかしながら、この動作は、まだ、電力増幅器が傾斜をオンするときに、望ましくないＶＣＯ周波数遷移（即ちグリッチ）となる。さらに、この分離技術は、２５ｐｐｍより良い周波数精度を必要とする、ＩＥＥＥ８０２．１１に準拠することを必要とする高速スイッチングトランシーバに対しては十分でない。
【０００９】
本発明は、この問題と取り組むものである。
【００１０】
発明の概要
本発明に従って、送信機電力増幅器は、前のパケット受信期間の後且つ新たなパケットの送信前に、他の送信機部品とともにスイッチオンされる。電力増幅器は既にオンされているので、電力”傾斜化”は、アップコンバータミキサに与えられる同相及び直交位相のベースバンド変調信号を単調に増加することにより達成される。従って、電力増幅器のゲインを傾斜化する代わりに、この方法は電力増幅器に与えられる変調信号を傾斜化する。この結果、電力増幅器をオンすることから生じるＶＣＯ周波数遷移は、新たなパケット送信が開始される前に減衰する機会を有する。この技術は、高速スイッチングトランシーバ動作を容易にするために、周波数シンセサイザＶＣＯから送信電力増幅器を効果的に分離する。
【００１１】
前述は、本発明の幾つかの直接関係のある目的と特徴の概要である。これらの目的と特徴は、例示的な、幾つかの、本発明の直接関係のある特徴とアプリケーションと解釈されるべきである。多くの他の有益な結果は、開示された発明を幾つかの異なる方法で適用する又は、開示されているように本発明を変更することにより得ることが可能である。従って、他の目的と本発明の完全な理解は、以下の詳細な説明を参照することにより得られる。
【００１２】
本発明とその優位点の更に完全な理解のために、付随する図面と共に以下の詳細な説明を参照する。
【００１３】
好適な実施例の詳細な説明
図２は、本発明が使用されうる既知の無線受信機２００を示す。トランシーバは、提案されたＩＥＥＥ８０２．１１に従った２．４ＧＨｚ  ＩＳＭ帯でのＷＬＡＮアプリケーションで使用されうるが、本発明は、これには制限されない。トランシーバは、ＲＦ電力増幅器と送信／受信スイッチ２０４に接続された選択可能なアンテナ２０２を有する。低雑音増幅器２０６も、アンテナに機能的に接続されている。トランシーバは、低雑音増幅器２０６とＲＦ電力増幅器と送信／受信スイッチ２０４の両方に接続されたアップ／ダウンコンバータ２０８も有する。アップ／ダウンコンバータ２０８は、デュアル周波数シンセサイザ２１０と直交ＩＦ変調器／復調器２１２に接続されている。ＩＦ変調器／復調器２１２は、既知のＲＳＳＩモニタ又は、”スニッフィング”機能を提供する受信信号強度インジケータ（ＲＳＳＩ）機能を有する。１つ又はそれ以上のフィルタ２１４と電圧制御発振器（ＶＣＯ）２１６も設けられている。上述の構成要素は、スペクトラム拡散トランシーバの従来の無線部分を有する。そのような構成要素の動作の知識は仮定される。
【００１４】
スペクトラム拡散ベースバンドプロセッサ２１８は、無線部分に接続され、そして、従来技術で既知の、全又は半二重パケットベースのスペクトラム拡散通信を容易にするために必要な機能の全てを有する。特にプロセッサは、ＩＦ変調器２１２からの同相（Ｉ）及び直交（Ｑ）信号を受信するために、ボード上に二重、フラッシュＡ／Ｄ変換器２２０と２２２を有する。ベースバンドプロセッサは、ＩＦ変調器２１２からの受信信号強度インジケータ（ＲＳＳＩ）電圧を処理するための、他のフラッシュＡ／Ｄ変換器２２４も有する。クリアチャネル評価（ＣＡＡ）回路２２６は、データ衝突を避け且つネットワークのスループットを最適化するために、クリアチャネル評価機能を提供する。フラッシュＡ／Ｄ変換器出力は、復調器２２８に供給され、受信信号を逆拡散する。変調器２３０は、よく理解さえているように、拡散機能を行う。インターフェース回路２３２は、ベースバンドプロセッサとの間でデータをインターフェースするために、復調器２２８と変調器２３０の両方に接続される。再び、全ての上述の構成要素は、当業者には既知である。
【００１５】
スペクトラム拡散技術の１つの形式は、直接シーケンス変調である。説明の目的のために、本発明は、直接シーケンスベースバンドプロセッサの情況で説明するがしかし、これはわかるように本発明の制限ではない。直接シーケンス変調は、擬似ランダム番号（ＰＮ）発生器の出力シーケンスを、各々がチップ時間と呼ばれる継続時間を有するパルスのトレインに線形に変調することにより構成される。１１ビットバーカーシーケンス（即ち、＋＋＋−−−＋−−＋−）は、この目的に使用される。１１ビットバーカーシーケンスの使用はもちろん単位例示である。バーカーシーケンスは、無周期の全てのτに対して自己相関値｜ρｓ（τ）｜＜１、−（ｎ−１）＜τ＜ｎ−１を有する、長さｎを有するバイナリー｛−１，＋１｝シーケンス｛ｓ（ｔ）｝である。典型的には、この種の変調は、バイナリー位相シフトキード（ＢＰＳＫ）情報信号である。直接シーケンスＢＰＳＫ信号は、ＢＰＳＫ信号を直接シーケンス変調により乗算することにより発生される。受信されたＢＰＳＫ信号を復調するには、（逆拡散のために使用される受信機でＰＮ波形を発生する）ローカルＰＮランダム発生器は、受信されたＢＰＳＫ信号のＰＮ系列波形の１チップ内に同期されなければならない。この機能はサーチルーチンにより行われ、時間的に順次にローカルＰＮ波形をチップの何分の１かだけ進め、そして、各位置で受信された波形とローカルＰＮ基準波形の間の高度の自己相関をサーチする。粗い整列がなされたことを示す、相関が所定のしきい値を超えたときに、サーチは終了する。２つのＰＮ波形が粗い整列がされた後に、遅延ロック又はタウ−ディザトラッキングループが精密な整列を維持するために使用される。この処理の詳細は、ＣＲＣ出版の（１９９７）通信ハンドブック１６．４に記載されており、参照によりここに組み込まれる。
【００１６】
図３を参照し、スペクトラム拡散トランシーバの送信機の従来の電力増幅器回路３００が示される。代表的なトランシーバは、フリップス社のモデルＳＡ２４００  ２．４６ＨＺ直接変換ゼロＩＦトランシーバであるが、本発明は、電力傾斜化を使用する度のようなトランシーバ又は送信機でも使用できる。電力増幅器回路は１組の（Ｆ１，Ｆ２）チャネルフィルタ３０２と３０４、同相及び直交位相アップコンバータミキサ３０６と３０８、加算器３１０、バッファ増幅器３１２、及び、電力増幅器３１４を有する。周波数シンセサイザ３２０は、電圧制御発振器３２２、位相ロックループ（ＰＬＬ）３２４、バッファ３２６及び、移相器３２８を有する。典型的には、電力増幅器３１４は、パケット送信中（又は、直前）以外はオフされる。しかし、周波数シンセサイザは、例えば、時分割二重通信（ＴＤＤ）トランシーバ内で、パケット送信と受信の両方で使用されるので、オンのままである。既知のように、スペクトルスプラッタを避けるために、電力増幅器３１４は、パケット送信を開始又は終了することが必要となったときに、ハードスイッチングに対して、傾斜化される。しかしながら、従来技術では、傾斜化は、典型的には、パケットプリアンブルが開始又は終了したときに、増幅器のゲインを増加又は減少させることにより行われた。しかしながら、増幅器がスイッチオンされるときには、その入力インピーダンスは変化し、これは、周波数シンセサイザ３２０の周波数変化を発生する。ＰＬＬ３２４はこれらの周波数変化を瞬時に補正することはできない。
【００１７】
この問題を解決するために、本発明は、新しい電力傾斜化制御方法を実行する。この方法に従って、電力増幅器３１４は、前のパケット受信期間の最後の後に且つ新たなパケット送信が開始する前に、スイッチオンされる。増幅器ゲインの傾斜化をする代わりに、この方法はアップコンバータミキサに供給されるベースバンド変調信号を傾斜化する。この結果、電力増幅器をオンすることから生じるＶＣＯ周波数変化は、新たなパケット送信が開始される前に減衰する機会を有する。この技術は、周波数シンセサイザＶＣＯから送信機電力増幅器を完全に分離する。
【００１８】
好適な実施例では、電力増幅器は、十分に前にスイッチオンされるので、ＶＣＯ周波数内のどのような妨害も次のパケット送信が開始される前に整定する。特定の実施例では、電力増幅器は、受信機部分によりパケットの受信に続きできる限り早くオンされる。既知のように、受信パケット期間が終了したときを決定する多くの技術がある。従って、例えば、パケット受信期間の終了が、送信バーストの終了を検索することにより、ＣＲＣコードの検索により、データフィールド内のフレームデリミッタを検査することにより、フレームヘッダ内の長さデータを使用した受信期間の計算等により、決定される。本発明の方法は、現在あるトランシーバ回路と後方互換性があるように設計されているので、どのような便利な技術も使用できる。
【００１９】
一旦、受信機が、パケット受信の最後を識別し（又は、信号が送信されねばならないときはいつでも）そして、電力増幅器が前もってオンされると、送信機は新たなパケット送信の開始を待つ。典型的には、受信パケットの最後と新たなパケット送信の開始の間には強制的な遅延が存在する。新たなパケット送信が開始すると、又は、その直前（パケットプリアンブル中）には、アップコンバータミキサ３０６と３０８に供給される同相及び直交移相のベースバンド信号が、傾斜化される。好適な実施例では、傾斜化は、ベースバンドプロセッサからワードが出力されるときに、ディジタルワードの単純な線形スケーリングにより行われる。図４は、結果の動作を示す。この例では、ベースバンド信号は、約２マイクロ秒続く傾斜化でパケットプリアンブルの開始で傾斜化４００されるのが好ましい。プリアンブルは、典型的には、傾斜化継続時間よりもかなり長い。理解されるように、電力増幅器の早いターンオン４０２は、ＶＣＯ出力の周波数変化となるが、しかし、この出力は、既にＶＩとＶＱベースバンド信号が傾斜化される時までに衰えている。この結果、実際の信号送信が開始するときに、周波数グリッチ又は変化はない。この制御方法は、従来技術の電力増幅器傾斜化技術と比べて大きな優位性を提供する。
【００２０】
上述の方法では、従来の送信機又は周波数シンセサイザ回路には変更が要求されない。発明の機能を提供するのに必要な制御信号は、例えば、ソフトウェア駆動されるプロセッサ、マイクロコントローラ、有限ステートマシン、ハードウェア論理、特定用途向け集積回路（ＡＳＩＣ）、フィールドプログラマブルゲートアレイ（ＦＰＧＡ）等のような、どのような便利な方法でも発生できる。ディジタルでの実行が好ましいが、当業者は、傾斜化信号はアナログでもよいことは理解されよう。図５は、そのような代わりの実施例を示す。
【００２１】
図５では、ベースバンドプロセッサから出力されるディジタルワードは、最初に、ディジタル／アナログ変換機５０２と５０４により、アナログ信号に変換され、結果の出力は乗算器５０６と５０８の組みを使用して傾斜化される。乗算器はＩとＱ入力に接続されそして、電力傾斜化信号ｒ（ｔ）に供給される。アナログ傾斜化信号ｒ（ｔ）は、以下のように発生される。Ｔｘ／Ｒｘピンをトグルにするに際し（ｔ＝ｔ０）、第１の低域通過フィルタ５１２を通して、比較器５１０はｔ＝ｔ１でトリガされる。比較器５１０により制御される、第２の低域通過フィルタ５１４は、各乗算器を制御する。
【００２２】
例では、電力傾斜増加を記載した。電力傾斜増加と同じ原理は、変調信号を傾斜化することにより、電力傾斜減少を与える。
【００２３】
以下は本発明の特徴である。
【００２４】
項目１．電力増幅器（３１４）と１組のアップコンバータミキサ（３０６，３０８）を有するトランシーバ（２００）内の、改善された電力傾斜化方法であって、
前のパケット受信期間（４０２）の終了後に電力増幅器をオンし、
新たなパケット送信（４００）の開始で、アップコンバータミキサに供給される変調信号を傾斜化する方法。
【００２５】
項目２．変調信号は、同相及び直交位相信号である項目１に記載の方法。
【００２６】
項目３．変調信号は、同相及び直交位相信号を表すディジタルワードの組みを単調にスケーリングすることにより傾斜化される項目２に記載の方法。
【００２７】
項目４．変調信号は、アナログ傾斜化信号を、同相及び直交位相信号に与えることにより傾斜化される項目２に記載の方法。
【００２８】
項目５．前のパケット受信期間の終了に続く所定の時間の間、新たなパケット送信の開始を遅延するステップを更に有する項目１に記載の方法。
【００２９】
項目６．新たなパケットの送信はプリアンブルで開始する項目１に記載の方法。
【００３０】
項目７．傾斜化ステップは所定の時間期間にわたって発生する項目１に記載の方法。
【００３１】
項目８．トランシーバ（２００）であって、
受信機と、
電力増幅器（３１２）と１組のアップコンバータミキサ（３０６，３０８）を有する送信機と、
電圧制御発振器（ＶＣＯ）（３２２）を有する周波数シンセサイザ（３２０）と、
電力増幅器とＶＣＯを分離するコントローラ（３３０）とを有し、
コントローラは、
前のパケット受信期間の終了後（４０２）に電力増幅器をオンするための手段と、
新たなパケット送信の開始（４００）に際し、アップコンバータミキサへ供給される変調信号を傾斜化する手段とを有する、トランシーバ。
【００３２】
項目９．変調信号は、同相及び直交位相変調信号である項目８に記載のトランシーバ。
【００３３】
項目１０．傾斜化手段は、同相及び直交位相信号を表すディジタルワードの組みを単調にスケーリングする項目９に記載のトランシーバ。
【００３４】
項目１１．傾斜化手段は、
アナログ傾斜化信号（５１０，５１２，５１４）を発生する手段と、
アナログ傾斜化信号を同相及び直交位相ベースバンド信号に与える手段とを有する項目９に記載のトランシーバ。
【００３５】
項目１２．与える手段は乗算器（５０６，５０８）である項目１１に記載のトランシーバ。
【００３６】
項目１３．ＩＥＥＥ８０２．１１標準に準拠する項目８に記載のトランシーバ。
【００３７】
項目１４．無線ローカルエリアネットワーク（ＷＬＡＮ）で使用するトランシーバであって、
電力増幅器（３１２）、１組のアップコンバータミキサ（３０６，３０８）、及び、周波数シンセサイザ（３２０）とを有する無線回路と、
無線回路に接続され且つアップコンバータミキサに供給される変調信号を発生する手段とを有するプロセッサと、
前のパケット受信期間の終了（４０２）で電力増幅器をオンし且つ新たなパケットの送信の開始（４００）でアップコンバータミキサに供給される変調信号を傾斜化するためのコントローラ（３３０）とを有するトランシーバ。
【００３８】
項目１５．コントローラ（３３０）は、変調信号を表すディジタルワードの組みを単調にスケーリングする項目１４に記載のトランシーバ。
【００３９】
項目１６．コントローラは、
アナログ傾斜化信号（５１０，５１２，５１４）を発生する手段と、
アナログ傾斜化信号を変調信号に与える手段とを有する項目１４に記載のトランシーバ。
【００４０】
項目１７．電力増幅器（３１２）を有する送信機内で動作する電力傾斜化方法であって、
パケット受信の開始で電力増幅器をオフし、
パケット受信の完了時に電力増幅器をオンし（４０２）、
新たなパケット送信の開始（４００）で、電力増幅器に与えられる変調信号を傾斜化する方法。
【００４１】
項目１８．変調信号は、同相及び直交位相信号である項目１７に記載の電力傾斜化方法。
【００４２】
項目１９．変調信号は、同相及び直交位相信号を表すディジタルワードの組みを単調にスケーリングすることにより傾斜化される項目１８に記載の電力傾斜化方法。
【００４３】
項目２０．新たなパケット送信の開始は、プリアンブルで開始する項目１７に記載の電力傾斜化方法。
【００４４】
項目２１．電力増幅器（３１２）及び１組のアップコンバータミキサ（３０６，３０８）を有するスペクトラム拡散トランシーバ（２００）内の、改善された電力傾斜化方法であって、
パケット送信（４０２）に先だって十分に電力増幅器をオンし、
新たなパケット送信の開始（４００）に際し、アップコンバータミキサに供給される変調信号を傾斜化する方法。
【００４５】
項目２２．トランシーバであって、
受信機と、
電力増幅器と１組のアップコンバータミキサを有する送信機と、
電圧制御発振器を有する周波数シンセサイザと、
パケット送信に先だって、電力増幅器を分離するコントローラと、
新たなパケット送信の開始に際し、アップコンバータミキサへ供給される変調信号を傾斜化する手段とを有する、トランシーバ。
【００４６】
項目２３．パケット送信の最後で信号を傾斜化して減衰させる手段を更に有する項目２２に記載のトランシーバ。
【００４７】
項目２４．与える手段は、乗算器である項目１１に記載のトランシーバ。
【００４８】
項目２５．送信電力を傾斜化して落した後に、電力増幅器をオフすることを更に有する項目１７に記載の電力傾斜化方法。
【００４９】
このように発明を説明したが、新規として請求するものは、請求項に記載されている。
【図面の簡単な説明】
【図１】  従来技術の電力増幅器傾斜化技術と、電力増幅器負荷インピーダンス変化により起こされた付随するＶＣＯ周波数グリッチの単純化された図である。
【図２】  本発明が使用される既知のスペクトラム拡散トランシーバのブロック図である。
【図３】  電力増幅器回路の基本的な構成要素を示す図２のスペクトラム拡散トランシーバの送信機部分の単純化されたブロック図である。
【図４】  本発明の新しい電力増幅器傾斜化技術を示す図である。
【図５】  アナログ送信機回路内で新しい電力傾斜化技術が使用される本発明の代わりの実施例を示す図である。
【図１】
0004815555.tif 000003
【図２】
0004815555.tif 000004
【図３】
0004815555.tif 000005
【図４】
0004815555.tif 000006
【図５】
0004815555.tif 000007